(57)【要約】      （修正有）【課題】排水栓が上下に昇降して排水口を塞ぐ洗面化粧台であっても、排水口内部及びヘアキャッチャーに付着している細菌への殺菌力が低下してしまうことを抑制でき、且つ、一定の領域のみ機能水が多く通過することによる殺菌ムラが発生してしまうことを抑制できる洗面化粧台を提供する。【解決手段】排水口１１３の内部には、ボウル部１１１から流れてきた機能水を排水口１１３の内部の全周に行き渡らせる誘導部１１８が設けられており、誘導部１１８の下方に、ヘアキャッチャー２００が配設されている。【選択図】図１０
2017127346.tif 000002
【特許請求の範囲】
【請求項１】
排水口が設けられたボウル部と、前記排水口を開閉可能な排水栓と、を備えた洗面化粧台であって、
殺菌機能を有する機能水を吐出する機能水吐出装置と、
複数の排水孔が設けられており、前記排水口の内部へ流れ込んだ毛髪を捕集するヘアキャッチャーと、をさらに備え、
前記排水口の内部には、前記ボウル部から流れてきた機能水を前記排水口の内部の全周に行き渡らせる誘導部が設けられており、
前記誘導部の下方に、前記ヘアキャッチャーが配設されていることを特徴とする洗面化粧台。
【請求項２】
前記誘導部は、前記排水口の内部において、前記排水口の内部の中心軸に向かって上方の内壁の傾斜より緩やかな傾斜角度となるよう前記排水口の内部の全周に形成された段部であることを特徴とする請求項１に記載の洗面化粧台。
【請求項３】
前記排水口の内部において、前記段部より下方の内壁は、前記排水口の内部の中心軸に向かって前記段部における傾斜角度より大きな傾斜角度をもつ急勾配面を有しており、
前記ヘアキャッチャーは、前記ヘアキャッチャーの最下部より上方において前記複数の排水孔が形成された上方部と、前記上方部より上方に周設された上端部と、を有し、前記上端部が前記急勾配面に当接した状態で、前記段部より下方に配設されていることを特徴とする請求項２に記載の洗面化粧台。
【請求項４】
前記複数の排水孔は、前記ヘアキャッチャーの周方向に設けられた格子である周格子及び前記ヘアキャッチャーの径方向に設けられた格子である複数の径格子によって形成されており、
前記複数の径格子と前記上端部との間、及び、前記複数の径格子と前記最下部との間は、繋がっていることを特徴とする請求項３に記載の洗面化粧台。
【発明の詳細な説明】
【技術分野】
【０００１】
本発明の態様は、一般的に、排水口が設けられたボウル部を備えた洗面化粧台に関する。
【背景技術】
【０００２】
従来、排水口が設けられたボウル部を備えた洗面化粧台が知られている。また、ボウル部に細菌が繁殖してしまうことを防ぐため、殺菌機能を有する機能水を吐出する機能水吐出装置を設け、機能水吐出装置によってボウル部に機能水を吐出することで、ボウル部内の細菌の繁殖を防ぐ洗面化粧台も知られている（特許文献１）。
【０００３】
洗面化粧台のボウル部の表面を流れる水のほとんど全ては、排水口の内部へ流れる。そのため、ボウル部のうちで排水口および排水口の内部は最も濡れる機会が多い。濡れた箇所には黴や細菌が繁殖しやすいため、排水口および排水口の内部は黴や細菌が多く繁殖している。したがって、排水口および排水口の内部にも機能水を吐出することが望ましい。また、洗面化粧台においては、毛髪などを集めるヘアキャッチャーが排水口の内部に設けられており、このヘアキャッチャーにおいては、特に黴や細菌が繁殖しやすい。したがって、機能水吐出装置は、このヘアキャッチャーの全体に、確実に機能水を流す必要がある。
【０００４】
一方で、排水栓が上下に昇降して排水口を塞ぐ洗面化粧台であると、排水栓の存在によって、排水口の内部及びヘアキャッチャーに機能水を直接噴霧できない。例えば電解水やオゾン水などの機能水は、時間と共に「濃度減衰」を起こすため、早急に除菌対象物に付着させる必要があるが、排水栓の存在によって排水口の内部及びヘアキャッチャーに機能水が行き渡りにくいため、排水口内部及びヘアキャッチャーに付着している細菌への殺菌力が低下する、という課題がある。
【０００５】
また、このように、排水口の内部及びヘアキャッチャーに機能水を直接噴霧させずに排水口の縁部から機能水を流入させる構成であると、一定の領域のみ機能水が多く通過することによる殺菌ムラが発生してしまうという課題がある。
【先行技術文献】
【特許文献】
【０００６】
【特許文献１】特開平１０−２８７２１号公報
【発明の概要】
【発明が解決しようとする課題】
【０００７】
本発明は、かかる課題の認識に基づいてなされたものであり、排水栓が上下に昇降して排水口を塞ぐ洗面化粧台であっても、排水口内部及びヘアキャッチャーに付着している細菌への殺菌力が低下してしまうことを抑制でき、且つ、一定の領域のみ機能水が多く通過することによる殺菌ムラが発生してしまうことを抑制できる洗面化粧台を提供することを目的とする。
【課題を解決するための手段】
【０００８】
第１の発明は、排水口が設けられたボウル部と、前記排水口を開閉可能な排水栓と、を備えた洗面化粧台であって、殺菌機能を有する機能水を吐出する機能水吐出装置と、複数の排水孔が設けられており、前記排水口の内部へ流れ込んだ毛髪を捕集するヘアキャッチャーと、をさらに備え、前記排水口の内部には、前記ボウル部から流れてきた機能水を前記排水口の内部の全周に行き渡らせる誘導部が設けられており、前記誘導部の下方に、前記ヘアキャッチャーが配設されていることを特徴とする洗面化粧台である。
【０００９】
この洗面化粧台によれば、排水栓の存在によって、排水口の内部及びヘアキャッチャーに機能水を直接噴霧させずに排水口の縁部から機能水を流入させる構成であっても、誘導部によって機能水を排水口の内部の全周に行き渡らせることができる。したがって、排水口内部に付着している細菌を、より多く殺菌できる。また、誘導部によって機能水を排水口の内部の全周に行き渡らせることができるため、一定の領域のみ機能水が多く通過することによる殺菌ムラが発生してしまうことを抑制できる。
さらに、排水口の内部の誘導部の下方にヘアキャッチャーを配設したため、機能水がヘアキャッチャーの上端の全周から流れ込むこととなり、特に黴や細菌が繁殖しやすいヘアキャッチャー全体に付着している細菌を、より多く殺菌できる。また、ヘアキャッチャー全体においても、一定の領域のみ機能水が多く通過することによる殺菌ムラが発生してしまうことを抑制できる。
【００１０】
第２の発明は、第１の発明において、前記誘導部は、前記排水口の内部において、前記排水口の内部の中心軸に向かって上方の内壁の傾斜より緩やかな傾斜角度となるよう前記排水口の内部の全周に形成された段部であることを特徴とする洗面化粧台である。
【００１１】
この洗面化粧台によれば、誘導部は、排水口の内部において、排水口の内部の中心軸に向かって上方の内壁の傾斜より緩やかな傾斜角度となるよう排水口の内部の全周に形成された段部であるため、ヘアキャッチャーが配設された排水口の内部の上方に、緩やかな傾斜角度の段部を全周に設けるという簡単な構成で、容易に機能水を排水口の内部の全周に行き渡らせることができ、排水口内部及びヘアキャッチャー全体における細菌の殺菌を行うことができ、且つ、一定の領域のみ機能水が多く通過することによる殺菌ムラが発生してしまうことを抑制できる。
【００１２】
第３の発明は、第２の発明において、前記排水口の内部において、前記段部より下方の内壁は、前記排水口の内部の中心軸に向かって前記段部における傾斜角度より大きな傾斜角度をもつ急勾配面を有しており、前記ヘアキャッチャーは、前記ヘアキャッチャーの最下部より上方において前記複数の排水孔が形成された上方部と、前記上方部より上方に周設された上端部と、を有し、前記上端部が前記急勾配面に当接した状態で、前記段部より下方に配設されていることを特徴とする洗面化粧台である。
【００１３】
この洗面化粧台によれば、段部より下方の内壁に、排水口の内部の中心軸に向かって段部の傾斜角度より大きな傾斜角度をもつ急勾配面を設け、その急勾配面にヘアキャッチャーの上端部を当接させた状態で、ヘアキャッチャーを配設するものとしたため、段部によって機能水の下流方向への流速が低減した際にも、段部を通過した機能水が急勾配面によって下流方向への流速が加速し、機能水は流速が加速した状態で急勾配面に当接したヘアキャッチャー上端部からヘアキャッチャー内部に流れ込むこととなる。よって、機能水は排水孔から抜けにくく、ヘアキャッチャーの中央、即ち根元部分まで機能水を行き渡らせることができる。したがって、より効率的に、ヘアキャッチャー全体に機能水を行き渡らせることができ、且つ、一定の領域のみ機能水が多く通過することによる殺菌ムラが発生してしまうことを抑制できる。
【００１４】
第４の発明は、第３の発明において、前記複数の排水孔は、前記ヘアキャッチャーの周方向に設けられた格子である周格子及び前記ヘアキャッチャーの径方向に設けられた格子である複数の径格子によって形成されており、前記複数の径格子と前記上端部との間、及び、前記複数の径格子と前記最下部との間は、繋がっていることを特徴とする洗面化粧台である。
【００１５】
この洗面化粧台によれば、急勾配面によって下流方向への流速が加速した機能水を、径格子によってそのままの勢いで最下部まで流し込むことができる。その結果、より確実に、ヘアキャッチャーの中央、即ち根元部分まで機能水を行き渡らせることができる。以上の事より、さらにより確実に、ヘアキャッチャー全体に機能水を行き渡らせることができ、且つ、一定の領域のみ機能水が多く通過することによる殺菌ムラが発生してしまうことを抑制できる。
【発明の効果】
【００１６】
本発明の態様によれば、排水栓が上下に昇降して排水口を塞ぐ洗面化粧台であっても、排水口内部及びヘアキャッチャーに付着している細菌への殺菌力が低下してしまうことを抑制でき、且つ、一定の領域のみ機能水が多く通過することによる殺菌ムラが発生してしまうことを抑制できる洗面化粧台を提供することができる。
【図面の簡単な説明】
【００１７】
【図１】本発明の実施の形態にかかる洗面化粧台を表す模式的斜視図である。
【図２】本実施形態にかかる洗面化粧台の要部構成を表すブロック図である。
【図３】本実施形態の電解水吐出装置の具体例を例示する模式的斜視図である。
【図４】本実施形態の電解水生成部の具体例を表す模式的断面図である。
【図５】本実施形態のボウル部の近傍を表す模式的斜視図である。
【図６】電解水が歯ブラシに当たっている状態を表す模式的斜視図である。
【図７】本実施形態のボウル部を上から眺めた模式的平面図である。
【図８】図７に表した切断面Ｃ８−Ｃ８における模式的断面図である。
【図９】図７に表した切断面Ｃ９−Ｃ９における模式的断面図である。
【図１０】図７に表した切断面Ｃ１０−Ｃ１０における模式的断面図である。
【図１１】本実施形態のヘアキャッチャーを表す模式的斜視図である。
【図１２】本実施形態のヘアキャッチャーを表す模式的平面図である。
【図１３】本実施形態の排水口の内部を表す模式的平面図である。
【図１４】本実施形態の段部を表す模式的部分断面図である。
【図１５】本発明の排水口の内部の変形例を表す模式的平面図である。
【図１６】本発明の排水口の内部の変形例を表す模式的上面図である。
【発明を実施するための形態】
【００１８】
以下、本発明の実施の形態について図面を参照しつつ説明する。なお、各図面中、同様の構成要素には同一の符号を付して詳細な説明は適宜省略する。  
図１は、本発明の実施の形態にかかる洗面化粧台を表す模式的斜視図である。  
図２は、本実施形態にかかる洗面化粧台の要部構成を表すブロック図である。  
図３は、本実施形態の電解水吐出装置の具体例を例示する模式的斜視図である。  
図４は、本実施形態の電解水生成部の具体例を表す模式的断面図である。
【００１９】
本実施形態にかかる洗面化粧台１００は、洗面台１１０と、水栓装置１２０と、電解水吐出装置（機能水吐出装置）１３０と、電解水生成部１５０と、を備える。図１に表したように、洗面台１１０は、例えばキャビネット１９２の上に設けられている。洗面台１１０の上には、化粧鏡１９１が設けられていてもよい。なお、洗面台１１０の周囲に配置される部材は、キャビネット１９２および化粧鏡１９１だけには限定されない。
【００２０】
なお、本願明細書において、「上」、「下」、「右」および「左」という記載は、洗面化粧台１００の前で洗面化粧台１００を見た人を基準とした上、下、右および左をそれぞれいう。また、本願明細書においては、洗面化粧台１００から、洗面化粧台１００の前に居る人へ向かう方向を「前」方向とし、その逆方向を「後」方向とする。
【００２１】
洗面台１１０は、ボウル部１１１を有する。ボウル部１１１の後側（奥側）の部分には、バックガード１８０が設けられている。バックガード１８０は、ボウル部１１１の縁部１１９よりも高い位置まで延びている。バックガード１８０は、水栓装置１２０や電解水吐出装置１３０などの機能部を隠すことができ、洗面化粧台１００のデザインを向上させることができる。
【００２２】
図１に表したように、水栓装置１２０は、バックガード１８０の前面１８１に設けられている。図２に表したように、水栓装置１２０は、吐水部１２１を有する。吐水部１２１は、ボウル部１１１に水１６７を吐出する。水１６７は、通常水（例えば、水道水）である。具体的に説明すると、水栓装置１２０は、分岐金具１４２および開閉弁１４４を介して給水源１４５に接続されている。分岐金具１４２は、例えばボウル部１１１の下に設けられている。水道水１６７は、水栓装置１２０の操作部である操作レバー１２２への手動操作により開閉弁１４４が開状態となった際に、開閉弁１４４を通って吐水部１２１からボウル部１１１に吐出される。なお、本実施形態において、操作レバー１２２および開閉弁１４４は一体に設けられている。
【００２３】
図１に表したように、電解水吐出装置１３０は、バックガード１８０の前面１８１に設けられている。図２に表したように、電解水吐出装置１３０は、操作部１３１を有する。例えば使用者が操作部１３１を操作すると、電解水吐出装置１３０は、除菌作用を有する電解水（機能水）１６１を霧状に吐出する。霧状の機能水１６１の粒子径は、分布をもっており、サブミクロンオーダーのものから、２０００マイクロメートル（μｍ）を越えるものまで存在する。霧状の機能水１６１の平均粒子径は、例えば約２００μｍ以上１５００μｍ以下程度である。図２に表したように、電解水吐出装置１３０は、分岐金具１４２および電磁弁１４３を介して給水源１４５に接続されている。電磁弁１４３は、例えばボウル部１１１の下に設けられている。
【００２４】
電解水生成部１５０は、電磁弁１４３と電解水吐出装置１３０との間に設けられ、除菌作用を有する電解水１６１を生成する。例えば、図４に表したように、電解水生成部１５０は、陽極１５１と、陰極１５２と、を内部に有し、制御部１４１から出力された通電の制御信号により、陽極１５１と、陰極１５２と、の間の空間（流路）を流れる水道水を電気分解することができる。水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。
【００２５】
そこで、電圧が陽極１５１と陰極１５２との間に供給されると、式（１）に表した反応が陰極１５２において生ずる。
Ｈ＋＋ｅ−  →  １／２Ｈ２↑                 ・・・（１）
【００２６】
一方で、電圧が陽極１５１と陰極１５２との間に供給されると、式（２）および式（３）に表した反応が陽極１５１において生ずる。
２ＯＨ−  →  ２ｅ−＋Ｈ２Ｏ＋１／２Ｏ２↑    ・・・（２）
Ｃｌ−  →  ｅ−＋１／２Ｃｌ２               ・・・（３）
【００２７】
式（３）において発生した塩素は気泡としては存在しにくく、ほとんどの塩素は水に溶解する。そのため、式（３）において発生した塩素については、式（４）に表した反応が生ずる。このようにして、塩化物イオンを電気分解することにより次亜塩素酸（ＨＣｌＯ）が生成される。その結果、電解水生成部１５０において電気分解された水は、次亜塩素酸を含む液に変化する。
Ｃｌ２＋Ｈ２Ｏ  →  ＨＣｌＯ＋Ｈ＋＋Ｃｌ−    ・・・（４）
【００２８】
次亜塩素酸は、除菌成分として機能する。次亜塩素酸を含む液は、例えばボウル部１１１や排水口１１３、排水口１１３の内部１１６、ヘアキャッチャー１６５（図９参照）などに付着している細菌を除菌することができる。
【００２９】
電解水が細菌と反応すると、式（５）に表した反応が生ずる。
Ｒ−Ｈ＋ＨＣｌＯ  →  Ｒ−ＯＨ＋Ｈ＋＋Ｃｌ−    ・・・（５）
式（５）の中に表した「Ｒ−Ｈ」は、有機物であり、例えば細菌の細胞である。式（５）の中に表した「Ｒ−ＯＨ」は、分解された有機物である。これにより、細菌の細胞が変性され、除菌（殺菌）が行われる。そして、電解水が細菌と反応すると、除菌成分（ＨＣｌＯ）が失われるため、結果として、電解水（除菌水）の濃度が下がる。
【００３０】
また、時間が経つと、式（６）に表した反応が生ずる。
２ＨＣｌＯ  →  ２Ｈ＋＋２Ｃｌ−＋Ｏ２    ・・・（６）
このように、時間が経つと、除菌成分（ＨＣｌＯ）が失われるため、結果として、電解水（除菌水）の濃度が下がる。
【００３１】
なお、本実施形態の電解水生成部１５０は、次亜塩素酸を含む液を生成することには限定されない。電解水生成部１５０は、水を電気分解することにより除菌作用を有する電解水を生成できればよい。
【００３２】
なお、本実施形態の機能水生成部１５０は、次亜塩素酸を含む液を生成することには限定されない。例えば、機能水生成部１５０において生成される機能水１６１は、オゾンなどを含む液であってもよい。また、機能水生成部１５０は、陽極板および陰極板を有する電解槽ユニットに限定されるわけではない。
【００３３】
例えば、図３に表したように、電解水吐出装置１３０は、操作部１３１と、電解水吐水部（機能水吐出部）１３２と、照射部１３３と、を有する。電解水吐出装置１３０は、例えば使用者が操作部１３１を操作すると、電解水生成部１５０により生成された電解水１６１を電解水吐水部１３２からボウル部１１１に向けて吐出する。電解水吐出装置１３０は、照射部１３３から光を放出し、電解水吐水部１３２から吐出された電解水１６１に光を照射してもよい。
【００３４】
図５は、本実施形態のボウル部の近傍を表す模式的斜視図である。  
図６は、電解水が歯ブラシに当たっている状態を表す模式的斜視図である。  
図７は、本実施形態のボウル部を上から眺めた模式的平面図である。  
図８は、図７に表した切断面Ｃ８−Ｃ８における模式的断面図である。  
図９は、図７に表した切断面Ｃ９−Ｃ９における模式的断面図である。
図１０は、図７に表した切断面Ｃ１０−Ｃ１０における模式的断面図である。
【００３５】
図５〜図１０に表したように、ボウル部１１１は排水口１１３を有する。排水口１１３は、ボウル部１１１の表面１１５の隅に設けられている。具体的には、排水口１１３は、表面１１５の後側（奥側）の隅に設けられている。なお、本願明細書において、ボウル部１１１の表面１１５は、ボウル部の底面に相当する。
【００３６】
図８および図９に表したように、ボウル部１１１の表面１１５には、排水口１１３に向かって下方に傾斜した排水勾配が形成されている。排水口１１３の上には、排水栓１１２が設けられている。排水栓１１２は、排水口１１３の部分に常設され、上下方向に昇降することにより排水口１１３を開閉することができる。
【００３７】
図８に表したように、電解水吐出装置１３０は、排水口１１３に向かって斜めから電解水１６１を吐出する。例えば、電解水吐出装置１３０から霧状に吐出された電解水１６１は、排水栓１１２を含む領域に着水する。すなわち、例えば、電解水吐出装置１３０から霧状に吐出された電解水１６１のうちの少なくとも一部は、排水栓１１２に着水する。なお、電解水吐出装置１３０から吐出された電解水１６１が着水する領域は、これだけには限定されない。
【００３８】
図６に表したように、例えば使用者は、電解水吐出装置１３０から吐出された電解水１６１に歯ブラシ１７１を当てることにより、歯ブラシ１７１における細菌の繁殖を抑制することができる。
【００３９】
図１に関して前述したように、バックガード１８０がボウル部１１１の後側の部分に設けられ、ボウル部１１１の縁部１１９よりも高い位置まで延びている。また、排水口１１３は、表面１１５の前側の隅に設けられている。これによれば、歯ブラシ１７１において跳ね返った電解水１６１が正面にいる使用者にかかることを確実に抑えることができる。
【００４０】
図１に関して前述したように、電解水吐出装置１３０および水栓装置１２０は、バックガード１８０の前面１８１に設けられている。そのため、電解水吐出装置１３０および水栓装置１２０の機能部をバックガード１８０で隠すことができ、正面からの見た目がすっきりとしたハイデザインな洗面化粧台１００を提供することができる。
【００４１】
しかし、排水口１１３がボウル部１１１の表面１１５の奥側の隅に設けられているため、バックガードの前面に設けられた電解水吐出装置が排水口から比較的遠い位置に離れると、電解水吐出装置から広がるように吐出された電解水が、バックガードに当たりやすくなる。電解水が排水口に当たる前にバックガードに当たると、電解水がバックガードの前面に存在する菌と反応して水に戻る。すると、排水口に作用する電解水の量が減ってしまう。
【００４２】
これに対して、電解水を吐出する電解水吐出装置の電解水吐水部がバックガードの前面からボウル部に向かって突出した量を比較的多くすると、水栓装置から吐出された水をバケツに汲む際に、電解水吐出装置が邪魔になることがある。
【００４３】
そこで、本実施形態にかかる洗面化粧台１００では、図８に表したように、電解水吐出装置１３０は、正面からみたときに、ボウル部１１１の中央Ｂ１と排水口１１３との間に設けられている。図８に表した例では、電解水吐出装置１３０の左端部は、水栓装置１２０の右端部から右方向へ距離Ｄ２１だけ離れた位置に設けられている。また、電解水吐出装置１３０の右端部は、排水口１１３の縁部１１４（図１０参照）から左方向へ距離Ｄ２２だけ離れた位置に設けられている。
【００４４】
図８に表したように、水栓装置１２０と排水口１１３との間の距離Ｄ２３は、電解水吐出装置１３０と排水口１１３との間の距離Ｄ２２よりも遠い。具体的には、水栓装置１２０の右端部と排水口１１３の縁部１１４との間の距離Ｄ２３は、電解水吐出装置１３０の右端部と排水口１１３の縁部１１４との間の距離Ｄ２２よりも遠い。
【００４５】
これによれば、水栓装置１２０から吐出された水１６７が、電解水吐出装置１３０から吐出された電解水１６１の進行を阻害することを抑えることができる。
【００４６】
図１０に表したように、排水口１１３の内部には、フランジ部材１２３の端部によって形成された段部（誘導部）１１８が形成されている。また、段部１１８の下方には、ヘアキャッチャー２００が配設されている。
【００４７】
図１１および図１２に表したように、ヘアキャッチャー２００は、ヘアキャッチャー２００の最下部２１８より上方において複数の排水孔２０２が形成された上方部２０４と、上方部２０４より上方に周設された上端部２０６と、排水栓１１２の軸芯部１２５が内部に挿通されている筒状部２１２と、を有している。複数の排水孔２０２は、ヘアキャッチャー２００の周方向に設けられた格子である周格子２０８及びヘアキャッチャー２００の径方向に設けられた格子である複数の径格子２１０によって形成されている。
【００４８】
図１３および図１４に表したように、段部１１８は、排水口１１３の内部の全周に形成されており、ボウル部１１１から流れてきた電解水１６１を排水口１１３の内部の全周に行き渡らせることができる。なお、図１３の矢印は、排水口１１３の縁部１１４から流れてきた電解水１６１の流れを例示するものである。このように、排水口１１３の縁部１１４から流入してきた電解水は、段部１１８にぶつかり、流速が弱まる。その結果、段部１１８の形成方向（排水口１１３の内部の周方向）に沿って電解水１６１は広がり、その後、排水口１１３のさらに内部へと流れ、ヘアキャッチャー２００へと流入する。なお、便宜上、図１３において、排水口１１３の縁部１１４から流入してきた電解水１６１の矢印は１本のみとしたが、排水口１１３の縁部１１４の様々な方向から、電解水１６１が流入するものである。このことより、排水栓１１２の存在によって排水口１１３の内部及びヘアキャッチャー２００に電解水１６１を直接噴霧できずに排水口１１３の縁部１１４から電解水１６１を流入させる構成であっても、段部１１８によって電解水１６１を排水口１１３の内部の全周に行き渡らせることができ、排水口１１３の内部に付着している細菌を、より多く殺菌できる。また、段部１１８によって電解水１６１を排水口１１３の内部の全周に行き渡らせることができるため、一定の領域のみ電解水１６１が多く通過することによる殺菌ムラが発生してしまうことを抑制できる。
【００４９】
さらに、排水口の内部の段部１１８の下方にヘアキャッチャー２００を配設したため、電解水１６１がヘアキャッチャー２００の上端部２０６の全周から流れ込むこととなり、特に黴や細菌が繁殖しやすいヘアキャッチャー２００の全体に付着している細菌を、より多く殺菌できる。また、ヘアキャッチャー２００の全体においても、一定の領域のみ電解水１６１が多く通過することによる殺菌ムラが発生してしまうことを抑制できる。
【００５０】
図１４に表したように、段部１１８は、排水口１１３の内部において、排水口１１３の内部の中心軸（本実施形態における排水栓１１２の軸芯部１２５）に向かって、排水口１１３の内部の上方の内壁２１４の傾斜より緩やかな傾斜角度となっている。また、排水口１１３の内部において、段部１１８より下方の内壁２１６は、排水口１１３の内部の中心軸に向かって段部１１８における傾斜角度より大きな傾斜角度をもつ急勾配面を有している。このことより、段部１１８によって電解水の下流方向への流速が低減した際にも、段部１１８を通過した電解水は急勾配面によって下流方向への流速が加速する。そして、電解水は、流速が加速した状態で急勾配面に当接したヘアキャッチャー２００の上端部２０６からヘアキャッチャー２００の内部に流れ込むこととなる。よって、電解水は排水孔２０２から抜けにくく、ヘアキャッチャー２００の中央である根元部分（筒状部２１２の外周面）まで電解水を行き渡らせることができる。したがって、より効率的に、ヘアキャッチャー２００の全体に電解水を行き渡らせることができ、且つ、一定の領域のみ電解水が多く通過することによる殺菌ムラが発生してしまうことを抑制できる。
【００５１】
図１２に表したように、複数の径格子２１０と上端部２０６との間、及び、複数の径格子２１０と最下部２１８との間は、繋がっている。言い換えると、図１２に表したように、上端部２０６と最下部２１８とは、上面視において、径格子２１０によって直線状に繋がっている。このことにより、急勾配面によって下流方向への流速が加速した電解水を、径格子２１０によってそのままの勢いで最下部２１８まで流し込むことができる。その結果、より確実に、ヘアキャッチャー２００の中央である根元部分まで電解水を行き渡らせることができる。以上の事より、さらにより確実に、ヘアキャッチャー２００の全体に電解水を行き渡らせることができ、且つ、一定の領域のみ電解水が多く通過することによる殺菌ムラが発生してしまうことを抑制できる。
【００５２】
本発明の実施の形態においては、段部１１８は排水口１１３の内部の全周に形成されているものとしたが、本発明はそれに限らず、図１５や図１６のように、一部分が欠けているものであっても良い。また、本発明の実施の形態においては、電解水は、排水口１１３の全体に吐出されるものであったが、本発明はそれに限らず、排水口１１３の一部分、又は、排水口１１３から離れたボウル部１１１の表面に吐出されるものであっても良い。
【００５３】
本発明の実施の形態においては、機能水を電解水としたが、本発明はそれに限らず、例えばオゾン水等であっても良い。
【００５４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、水栓装置１２０および電解水吐出装置１３０などが備える各要素の形状、寸法、材質、配置などや水栓装置１２０、電解水吐出装置１３０および排水口１１３の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５５】
１００ 洗面化粧台、  １１０ 洗面台、  １１１ ボウル部、  １１１ａ 側壁、  １１２ 排水栓、  １１３ 排水口、  １１４ 縁部、  １１５ 表面、  １１８ 段部（誘導部）、  １１９ 縁部、  １２０ 水栓装置、  １２１ 吐水部、  １２２ 操作レバー、  １２３ フランジ部材、  １２５ 軸芯部、  １３０ 電解水吐出装置（機能水吐出装置）、  １３１ 操作部、  １３２ 電解水吐水部（機能水吐出部）、  １３３ 照射部、  １４１ 制御部、  １４２ 分岐金具、  １４３、１４４ 電磁弁、  １４５ 給水源、  １５０ 電解水生成部、  １５１ 陽極、  １５２ 陰極、  １６１ 電解水（機能水）、  １６７ 水、  １７１ 歯ブラシ、  １７３ 洗面カウンタ、  １８０ バックガード、  １８１ 前面、  １９１ 化粧鏡、  １９２ キャビネット、  ２００ ヘアキャッチャー、  ２０２ 排水孔、  ２０４ 上方部、  ２０６ 上端部、  ２０８ 周格子、  ２１０ 径格子、  ２１２ 筒状部、  ２１４ 上方の内壁、  ２１６ 下方の内壁、  ２１８ 最下部、  Ｂ１ 中央
【図１】
2017127346.tif 000003
【図２】
2017127346.tif 000004
【図３】
2017127346.tif 000005
【図４】
2017127346.tif 000006
【図５】
2017127346.tif 000007
【図６】
2017127346.tif 000008
【図７】
2017127346.tif 000009
【図８】
2017127346.tif 000010
【図９】
2017127346.tif 000011
【図１０】
2017127346.tif 000012
【図１１】
2017127346.tif 000013
【図１２】
2017127346.tif 000014
【図１３】
2017127346.tif 000015
【図１４】
2017127346.tif 000016
【図１５】
2017127346.tif 000017
【図１６】
2017127346.tif 000018